(57)【特許請求の範囲】
【請求項１】
コンテンツ接触状況検出装置であって、
アプリケーション名、第１検出エリア、検出文字又は画像、第２検出エリア、検出識別情報を含む判定データを予め記憶した判定テーブルと、
日時、アプリケーション名、検出結果を含むコンテンツ接触データを記憶する接触データ蓄積部と、
制御部と、
を備え、
前記制御部は、
端末による起動アプリケーションのスクリーンショットを取得し、
前記判定テーブルの各判定データを参照し、前記スクリーンショットを第１検出エリアで認識した文字又は画像が前記判定データの検出文字又は画像として検出した場合、
前記判定データの検出識別情報に応じて、前記スクリーンショットを第２検出エリアで認識した検出文字又は画像に対応するコードを検出結果とし、又は、前記スクリーンショットを第２検出エリアで認識又は抽出した文字又は画像を検出結果とし、
日時、前記判定データのアプリケーション名、前記検出結果を含むコンテンツ接触データを前記接触データ蓄積部に保存する
コンテンツ接触状況検出装置。
【請求項２】
請求項１に記載のコンテンツ接触状況検出装置であって、
識別情報毎に、検出文字又は画像に対するコードを記憶するひとつ又は複数の変換コードテーブルを、さらに備え、
前記制御部は、
前記判定テーブルの各判定データを参照し、第１検出エリアで前記スクリーンショットの文字又は画像を認識し、第１検出エリアで認識した文字又は画像が前記判定データの検出文字又は画像として検出された場合、
前記判定データの検出識別情報が変換コードテーブルの識別情報である場合、第２検出エリアで前記スクリーンショットの文字又は画像を認識し、前記識別情報により特定される前記変換コードテーブルに従い第２検出エリアで認識した検出文字又は画像をコードに変換して検出結果とし、
前記判定データに記憶された検出識別情報が変換コードテーブルの識別情報でない場合、第２検出エリアで認識又は抽出した前記スクリーンショットの文字又は画像を検出結果とし、
日時と、前記判定データのアプリケーション名と、前記検出結果とを含むコンテンツ接触データを前記接触データ蓄積部に保存する
ことを特徴とするコンテンツ接触状況検出装置。
【請求項３】
請求項１又は２に記載のコンテンツ接触状況検出装置であって、
前記制御部は、前記コンテンツ接触データに含まれる前記日時として、スクリーンショットの取得時刻又は内部時計による時刻を設定することを特徴とするコンテンツ接触状況検出装置。
【請求項４】
請求項１乃至３のいずれかに記載のコンテンツ接触状況検出装置であって、
前記制御部は、前記接触データ蓄積部から、コンテンツ接触データを読み出し、ユーザアクション又は予め定められたタイミングで、出力部及び／又は他の装置にコンテンツ接触データを出力又は表示することを特徴とするコンテンツ接触状況検出装置。
【請求項５】
請求項２に記載のコンテンツ接触状況検出装置であって、
前記判定テーブルの各判定データは、アプリケーション名に対して測定対象をさらに含み、
前記変換コードテーブルは、アプリケーション名及び測定対象により識別される
ことを特徴とするコンテンツ接触状況検出装置。
【請求項６】
請求項５に記載のコンテンツ接触状況検出装置であって、
前記判定テーブルは、アプリケーション名として放送を視聴するテレビプレーヤー、測定対象として放送局を表す文字、検出文字又は画像としてテレビ視聴を表す文字、検出識別情報として第１の変換コードテーブルの識別情報、を含み、
前記検出識別情報により特定される前記第１の変換コードテーブルは、放送局を表す文字又は画像に対して、放送局コードを予め記憶し、
前記制御部は、前記第１の変換コードテーブルを参照し、検出文字又は画像を放送局コードに変換し、
前記制御部は、日時と、起動アプリケーションとしてテレビプレーヤーと、検出結果として放送局コードと、を含むコンテンツ接触データを前記接触データ蓄積部に保存する
ことを特徴とするコンテンツ接触状況検出装置。
【請求項７】
請求項５に記載のコンテンツ接触状況検出装置であって、
前記判定テーブルは、アプリケーション名と測定対象の組としてＷＥＢブラウザと接触文字の組又はＷＥＢブラウザと人物の組、検出文字又は画像としてＷＥＢを表す文字又は画像、検出識別情報として第２又は第３の変換コードテーブルの識別情報、をそれぞれを含み、
前記検出識別情報により特定される前記第２又は第３の変換コードテーブルは、接触文字又は人物を表す文字又は画像に対して、接触文字コード又は人物コードを予め記憶し、
前記制御部は、前記第２又は第３の変換コードテーブルを参照し、検出文字又は画像を接触文字コード又は人物コードに変換し、
前記制御部は、日時と、起動アプリケーションとしてＷＥＢブラウザと、検出結果として接触文字コード又は人物コードと、を含むコンテンツ接触データを前記接触データ蓄積部に保存する
ことを特徴とするコンテンツ接触状況検出装置。
【請求項８】
請求項５に記載のコンテンツ接触状況検出装置であって、
前記判定テーブルは、アプリケーション名と測定対象の組としてＷＥＢブラウザとＵＲＬ又は動画プレーヤーとコンテンツ名、検出文字又は画像としてＷＥＢを表す文字若しくは画像又は動画ビューワを表す文字若しくは画像、検出識別情報として全て若しくは予め定められた数・量の文字又は画像を示す識別情報、をそれぞれ含み、
前記制御部は、日時と、起動アプリケーションとしてＷＥＢブラウザ又は動画プレーヤーと、検出結果として第２検出エリアで認識又は抽出した全て又は予め定められた数・量の文字又は画像と、を含むコンテンツ接触データを前記接触データ蓄積部に保存する
ことを特徴とするコンテンツ接触状況検出装置。
【請求項９】
端末であって、
アプリケーション名、第１検出エリア、検出文字又は画像、第２検出エリア、検出識別情報を含む判定データを予め記憶した判定テーブルと、
日時、アプリケーション名、検出結果を含むコンテンツ接触データを記憶する接触データ蓄積部と、
制御部と、
を備え、
前記制御部は、
端末による起動アプリケーションのスクリーンショットを取得し、
前記判定テーブルの各判定データを参照し、前記スクリーンショットを第１検出エリアで認識した文字又は画像が前記判定データの検出文字又は画像として検出した場合、
前記判定データの検出識別情報に応じて、前記スクリーンショットを第２検出エリアで認識した検出文字又は画像に対応するコードを検出結果とし、又は、前記スクリーンショットを第２検出エリアで認識又は抽出した文字又は画像を検出結果とし、
日時、前記判定データのアプリケーション名、前記検出結果を含むコンテンツ接触データを前記接触データ蓄積部に保存する
ことを特徴とする端末。
【請求項１０】
請求項９に記載の端末であって、
前記制御部は、
前記検出識別情報により変換コードテーブルが特定される場合、前記変換コードテーブルを取得するための要求をセンター装置に送信し、
前記センター装置から前記変換コードテーブルの情報を受信し、
前記変換コードテーブルに従い、第２検出エリアで認識した検出文字又は画像を前記コードに変換する
ことを特徴とする端末。
【請求項１１】
請求項９に記載の端末であって、
前記制御部は、
前記検出識別情報により変換コードテーブルが特定される場合、前記変換コードテーブルの識別情報と、第２検出エリアで認識した検出文字又は画像を含む要求をセンター装置に送信し、
前記センター装置が、前記識別情報により特定される前記変換コードテーブルにより検索した前記コードを受信する
ことを特徴とする端末。
【請求項１２】
請求項１乃至８のいずれかに記載のコンテンツ接触状況検出装置を有するセンター装置と、
動画コンテンツ又は静止画コンテンツの視聴を可能としたアプリケーションにおいて、ユーザアクション又は予め定められたタイミングで、スクリーンショットを取得し、前記スクリーンショットを前記コンテンツ接触状況検出装置へ送信する端末と、
を備え、
前記センター装置は、前記コンテンツ接触状況検出装置から集めたコンテンツ接触データを集計し、接触率データ又は他の接触情報を計算し、契約者／顧客装置に対してコンテンツ接触データ又は接触率データ又は他の接触情報を提供することを特徴とするコンテンツ接触状況検出システム。
【請求項１３】
請求項９乃至１１のいずれかに記載の端末と、
コンテンツ接触データを集計し、接触率データ又は他の接触情報を計算し、契約者／顧客装置に対してコンテンツ接触データ又は接触率データ又は他の接触情報を提供するセンター装置と、
を備え、
前記端末は、動画コンテンツ又は静止画コンテンツの視聴を可能としたアプリケーションにおいて、ユーザアクション又は予め定められたタイミングで、コンテンツ接触データを作成し、前記コンテンツ接触データを前記センター装置へ送信することを特徴とするコンテンツ接触状況検出システム。
【請求項１４】
請求項１２又は１３に記載のコンテンツ接触状況検出システムであって、
前記センター装置は、
視聴者コードに対応して視聴者のプロフィール情報を予め記憶したプロフィール情報ＤＢを備え、
前記コンテンツ接触データを作成した端末の識別情報に対する視聴者コードに対応したプロフィール情報を、さらに契約者／顧客装置又は他の装置に提供することを特徴とするコンテンツ接触状況検出システム。
【請求項１５】
接触状況検出方法であって、
端末による起動アプリケーションのスクリーンショットを取得し、
アプリケーション名、第１検出エリア、検出文字又は画像、第２検出エリア、検出識別情報を含む判定データを予め記憶した判定テーブルの各判定データを参照し、前記スクリーンショットを第１検出エリアで認識した文字又は画像が前記判定データの検出文字又は画像として検出した場合、
前記判定データの検出識別情報に応じて、前記スクリーンショットを第２検出エリアで認識した検出文字又は画像に対応するコードを検出結果とし、又は、前記スクリーンショットを第２検出エリアで認識又は抽出した文字又は画像を検出結果とし、
日時、前記判定データのアプリケーション名、前記検出結果を含むコンテンツ接触データを接触データ蓄積部に保存する
ことを特徴とする接触状況検出方法。
【請求項１６】
接触状況検出プログラムであって、
処理部が、端末による起動アプリケーションのスクリーンショットを取得するステップと、
前記処理部が、アプリケーション名、第１検出エリア、検出文字又は画像、第２検出エリア、検出識別情報を含む判定データを予め記憶した判定テーブルの各判定データを参照するステップと、
前記処理部が、前記スクリーンショットを第１検出エリアで認識した文字又は画像が前記判定データの検出文字又は画像として検出した場合、
前記処理部が、前記判定データの検出識別情報に応じて、前記スクリーンショットを第２検出エリアで認識した検出文字又は画像に対応するコードを検出結果とし、又は、前記スクリーンショットを第２検出エリアで認識又は抽出した文字又は画像を検出結果とするステップと、
前記処理部が、日時、前記判定データのアプリケーション名、前記検出結果を含むコンテンツ接触データを接触データ蓄積部に保存するステップと
をコンピュータに実行させるための接触状況検出プログラム。
【発明の詳細な説明】
【技術分野】
【０００１】
本発明は、コンテンツ接触状況検出装置及びシステム及び方法及びプログラム、端末に係り、特に、スマートホン、スマートテレビ、タブレット、パソコン（ＰＣ）等の端末による、各種メディア・番組等のコンテンツの接触状況（コンテンツ接触データ・接触率等）をスクリーンショットにより検出するためのコンテンツ接触状況検出装置及びシステム及び方法及びプログラム、コンテンツ接触状況検出部を有する端末に関する。
【背景技術】
【０００２】
特許文献１には、放送局特定装置、放送局特定方法及び放送局特定プログラムにおいて、「放送局特定装置は、パーソナルコンピュータでデジタルテレビ放送を受信している放送局名を特定する。」こと、及び、放送局特定装置における「放送表示領域判定手段は、パーソナルコンピュータの画面を周期的に取得し、その時間差分で得られた画像と、あらかじめ記憶したウィンドウ特徴量との照合をおこない、取得した映像信号の中から放送表示部の領域を判定する。放送局識別手段は、あらかじめ所定の放送局毎に記憶した特定画像群との照合をおこなう。」（要約参照）という技術が記載されている。
【先行技術文献】
【特許文献】
【０００３】
【特許文献１】特開２００９−１９４５９２号公報
【発明の概要】
【発明が解決しようとする課題】
【０００４】
特許文献１において、パーソナルコンピュータの視聴放送局測定は、特に映像出力端子を介して取得した画像から、パターンマッチングで行うものであったが、映像出力端子のないスマートフォンや、タブレット端末等の端末での画像取得は、通常は困難であり、例え映像出力端子があった場合でも有線での取得となりモバイル性が損なわれてしまうことが想定される。
ほかにも、視聴放送局測定には、音声マッチング方式やログ取得方式などもあるが、付加装置が必要であったり、アプリケーションごとの対応が必要であったりと、利便性、汎用性に乏しいことが想定される。
【０００５】
本発明は、以上の点に鑑み、端末のスクリーンショットによる画像からコンテンツの接触状況に関する情報を取得することを目的とする。
【課題を解決するための手段】
【０００６】
本発明の第１の解決手段によると、
コンテンツ接触状況検出装置であって、
アプリケーション名、第１検出エリア、検出文字又は画像、第２検出エリア、検出識別情報を含む判定データを予め記憶した判定テーブルと、
日時、アプリケーション名、検出結果を含むコンテンツ接触データを記憶する接触データ蓄積部と、
制御部と、
を備え、
前記制御部は、
端末による起動アプリケーションのスクリーンショットを取得し、
前記判定テーブルの各判定データを参照し、前記スクリーンショットを第１検出エリアで認識した文字又は画像が前記判定データの検出文字又は画像として検出した場合、
前記判定データの検出識別情報に応じて、前記スクリーンショットを第２検出エリアで認識した検出文字又は画像に対応するコードを検出結果とし、又は、前記スクリーンショットを第２検出エリアで認識又は抽出した文字又は画像を検出結果とし、
日時、前記判定データのアプリケーション名、前記検出結果を含むコンテンツ接触データを前記接触データ蓄積部に保存する
コンテンツ接触状況検出装置が提供される。
【０００７】
本発明の第２の解決手段によると、
上述のようなコンテンツ接触状況検出装置を有するセンター装置と、
動画コンテンツ又は静止画コンテンツの視聴を可能としたアプリケーションにおいて、ユーザアクション又は予め定められたタイミングで、スクリーンショットを取得し、前記スクリーンショットを前記コンテンツ接触状況検出装置へ送信する端末と、
を備えたコンテンツ接触状況検出システムが提供される。
【０００８】
本発明の第３の解決手段によると、
端末であって、
アプリケーション名、第１検出エリア、検出文字又は画像、第２検出エリア、検出識別情報を含む判定データを予め記憶した判定テーブルと、
日時、アプリケーション名、検出結果を含むコンテンツ接触データを記憶する接触データ蓄積部と、
制御部と、
を備え、
前記制御部は、
端末による起動アプリケーションのスクリーンショットを取得し、
前記判定テーブルの各判定データを参照し、前記スクリーンショットを第１検出エリアで認識した文字又は画像が前記判定データの検出文字又は画像として検出した場合、
前記判定データの検出識別情報に応じて、前記スクリーンショットを第２検出エリアで認識した検出文字又は画像に対応するコードを検出結果とし、又は、前記スクリーンショットを第２検出エリアで認識又は抽出した文字又は画像を検出結果とし、
日時、前記判定データのアプリケーション名、前記検出結果を含むコンテンツ接触データを前記接触データ蓄積部に保存する
ことを特徴とする端末が提供される。
【０００９】
本発明の第４の解決手段によると、
上述のような端末と、
前記コンテンツ接触状況検出部から集めたコンテンツ接触データを集計し、接触率データ又は他の接触情報を計算し、契約者／顧客装置に対してコンテンツ接触データ又は接触率データ又は他の接触情報を提供するセンター装置と、
を備えたコンテンツ接触状況検出システムが提供される。
【００１０】
本発明の第５の解決手段によると、
接触状況検出方法であって、
端末による起動アプリケーションのスクリーンショットを取得し、
アプリケーション名、第１検出エリア、検出文字又は画像、第２検出エリア、検出識別情報を含む判定データを予め記憶した判定テーブルの各判定データを参照し、前記スクリーンショットを第１検出エリアで認識した文字又は画像が前記判定データの検出文字又は画像として検出した場合、
前記判定データの検出識別情報に応じて、前記スクリーンショットを第２検出エリアで認識した検出文字又は画像に対応するコードを検出結果とし、又は、前記スクリーンショットを第２検出エリアで認識又は抽出した文字又は画像を検出結果とし、
日時、前記判定データのアプリケーション名、前記検出結果を含むコンテンツ接触データを接触データ蓄積部に保存する
ことを特徴とする接触状況検出方法が提供される。
【００１１】
本発明の第６の解決手段によると、
接触状況検出プログラムであって、
処理部が、端末による起動アプリケーションのスクリーンショットを取得するステップと、
前記処理部が、アプリケーション名、第１検出エリア、検出文字又は画像、第２検出エリア、検出識別情報を含む判定データを予め記憶した判定テーブルの各判定データを参照するステップと、
前記処理部が、前記スクリーンショットを第１検出エリアで認識した文字又は画像が前記判定データの検出文字又は画像として検出した場合、
前記処理部が、前記判定データの検出識別情報に応じて、前記スクリーンショットを第２検出エリアで認識した検出文字又は画像に対応するコードを検出結果とし、又は、前記スクリーンショットを第２検出エリアで認識又は抽出した文字又は画像を検出結果とするステップと、
前記処理部が、日時、前記判定データのアプリケーション名、前記検出結果を含むコンテンツ接触データを接触データ蓄積部に保存するステップと
をコンピュータに実行させるための接触状況検出プログラムが提供される。
【発明の効果】
【００１２】
本発明によると、端末のスクリーンショットによる画像からコンテンツの接触状況に関する情報を取得することができる。
【図面の簡単な説明】
【００１３】
【図１】本発明の第１の実施の形態によるシステム構成図の例である。
【図２】コンテンツ接触状況検出部１００の概略ブロック図である。
【図３】識別用ＤＢ１０３の説明図である。
【図４】端末１０の画面の例である。
【図５】判定テーブルの説明図である。
【図６】変換コードテーブルの説明図である。
【図７】コンテンツ接触データの説明図である。
【図８】第１の実施の形態のシーケンス図である。
【図９】コンテンツ接触状況検出処理のフローチャートである。
【図１０】本発明の第２の実施の形態によるシステム構成図の例である。
【図１１】第２の実施の形態のシーケンス図である。
【図１２】本発明の第３の実施の形態によるシステム構成図の例である。
【図１３】第３の実施の形態のシーケンスである。
【発明を実施するための形態】
【００１４】
Ａ．第１の実施の形態
１．システム及び装置
図１に、本発明の第１の実施の形態によるシステム構成図の例を示す。
本システムは、調査世帯１、集計・配信センター２、契約社／顧客装置３を備える。調査世帯１と集計・配信センター２との間、集計・配信センター２と契約社／顧客装置３との間は、携帯電話回線、ブロードバンド回線、インターネット等の有線又は無線のネットワーク４で接続される。調査世帯１は、スマートホン、スマートテレビ、タブレット、ＰＣ等の端末１０をひとつ又は複数有することができ、調査世帯１内に限らず、その内外において携帯・移動可能とすることができる。
【００１５】
本実施の形態の概要は、次の通りである。
端末１０は、スクリーンショット機能を有するアプリケーション（以下、アプリという場合がある。）をバックグラウンド等で動作させ、任意のタイミング（測定対象アプリ起動中、タップ等のユーザアクション時等）で手動又は自動により、スクリーンショットを取得する。端末１０は、手動により、又は、定期的又は予め定められたタイミング等の自動により、スクリーンショットを送る。端末１０は、例えば、Ａｎｄｒｏｉｄ、ｉＯＳ、ＰＣ、スマートテレビ等のデバイスでの、ワンセグ、フルセグ、ＤＬＮＡ（タイムシフト、放送転送、リモートアクセス）、ＶＯＤ、ＹｏｕＴｕｂｅ（登録商標）等の動画投稿サイト等の視聴コンテンツ測定が可能である。
【００１６】
本実施の形態では、集計・配信センター２が、処理部２１、蓄積部２２、コンテンツ接触状況検出部１００を備える。
コンテンツ接触状況検出部１００は、例えば、ワンセグ、ＷＥＢブラウザ、動画プレーヤーでの端末１０による接触ページ（ＵＲＬ）を検出可能とする。コンテンツ接触状況検出部１００は、また、ＷＥＢブラウザ等からの文字認識や画像認識により、接触文字の収集が可能とする。さらに、コンテンツ接触状況検出部１００は、顔認識を用いて、タレント、俳優等の人物の特定や接触測定を可能とすることができる。
コンテンツ接触状況検出部１００は、コンテンツ接触データを、接触データ蓄積部に保存する（詳細は後述）。また、コンテンツ接触状況検出部１００は、手動、又は、定期的又は予め定められたタイミング等で自動で、接触データ蓄積部からコンテンツ接触データを読み出し、表示部に表示する、出力部に出力する、及び／又は、契約者／顧客装置３等の他の装置に出力する。
【００１７】
集計・配信センター２において、処理部２１は、コンテンツ接触状況検出部１００が作成及び蓄積したコンテンツ接触データを接触データ蓄積部から読み出し、コンテンツ接触データを集計し、接触率データ又は他の接触情報を計算し、蓄積部２２に、コンテンツ接触データ、接触率データ及び／又は他の接触情報を保存する。また、処理部２１は、コンテンツ接触データ、接触率データ及び／又は他の接触情報を蓄積部２２から読み出し、契約者／顧客装置３に対して提供する。
集計・配信センター２は、視聴者コードに対応して視聴者のプロフィール情報を予め記憶したプロフィール情報ＤＢを備えてもよい。そして、集計・配信センター２は、コンテンツ接触データを作成した端末の識別情報に対する視聴者コードに対応したプロフィール情報を、さらに契約者／顧客装置３に提供するようにしてもよい。なお、端末１０は、端末の識別情報を、例えば、コンテンツ接触データを送る際に送信元識別情報としてヘッダ等に付加したり、コンテンツ接触データ自体に付加することができる。
なお、契約者／顧客装置３は、自装置側から、集計・配信センター２にアクセスしてコンテンツ接触データを読み出して、取得するようにしてもよい。
【００１８】
図２に、コンテンツ接触状況検出部１００の概略ブロック図を示す。
コンテンツ接触状況検出部１００は、制御部（処理部）１０１、スクリーンショット取得部１０２、識別用ＤＢ１０３、接触データ蓄積部１０４、通信部／出力部１０５、を備え、各部はバス１０６で接続されている。
制御部１０１は、例えば、ＣＰＵ、プログラムメモリー、ワークメモリー等を備え、コンテンツ接触状況検出部１００の処理・動作を制御している。制御部１０１は、文字認識、画像認識、顔認識等の認識処理を含む処理を実行する。
スクリーンショット取得部１０２は、端末１０からのスクリーンショットを取得し、適宜の内部メモリに記憶する。この内部メモリは、スクリーンショット取得部１０２、制御部１０１、識別用ＤＢ１０３、接触データ蓄積部１０４又は他のメモリ内に適宜設けることができる。
識別用ＤＢ１０３は、文字辞書、画像ＤＢ、顔ＤＢ等の各種ＤＢが予め記憶される（詳細は後述）。
接触データ蓄積部１０４には、コンテンツ接触データが記憶される。コンテンツ接触データとしては、例えば、視聴放送局、ＷＥＢ  ＵＲＬ、タレント接触、ワード接触等の各種接触状況に関する情報を含めることができる（詳細は後述）。
通信部／出力部１０５は、制御部１０１により、コンテンツ接触データ又は他のＤＢの情報やデータ等を、契約者／顧客装置３又は他の外部に出力する。
【００１９】
図３に、識別用ＤＢ１０３の説明図を示す。
識別用ＤＢ１０３は、判定テーブル１１０、ＴＶプレーヤー（放送局）変換コードテーブル１１１、ＷＥＢブラウザ（接触文字）変換コードテーブル１１２等の文字ＤＢ、ＷＥＢブラウザ（人物）変換コードテーブル１１３等の画像ＤＢを含む。
【００２０】
図４に、端末１０の画面の例を示す。
ここでは、ＴＶプレーヤー（ワンセグ等）、ＷＥＢブラウザ、動画プレーヤーの各画面を示すが、これに限られない。
ＴＶプレーヤーでは、起動アプリ識別の検出エリア「座標（Ｘ１，Ｙ１）、範囲Ｈ１及びＷ１」と検出文字・画像「テレビ視聴」、測定対象識別の検出エリア「座標（Ｘ２，Ｙ２）、範囲Ｈ２及びＷ２」と検出文字・画像「ＭＨＫ」が、それぞれ図示されている。
ＷＥＢブラウザでは、起動アプリ識別の検出エリア「座標（Ｘ１，Ｙ１）、範囲Ｈ１及びＷ１」と検出文字・画像「ＷＥＢ」、測定対象識別の検出エリア「座標（Ｘ２，Ｙ２）、範囲Ｈ２及びＷ２」と検出文字・画像「ｈｔｔｐ：／／ｗｗｗ．ａｂｃｄ．ｃｏｍ」が、それぞれ図示されている。
動画プレーヤーでは、起動アプリ識別の検出エリア「座標（Ｘ１，Ｙ１）、範囲Ｈ１及びＷ１」と検出文字・画像「動画ビューワ」、測定対象識別の検出エリア「座標（Ｘ２，Ｙ２）範囲Ｈ２及びＷ２」と検出文字・画像「おもしろ投稿動画  その１」が、それそれぞれ図示されている。
なお、検出エリアは、この例ではエリア左上座標と範囲により定めているが、これに限らず適宜の定め方を用いることができる。
【００２１】
図５に、判定テーブルの説明図を示す。
判定テーブル１１０は、起動アプリケーションのアプリ名、測定対象、起動アプリ識別（検出エリアと検出文字・画像）、測定対象識別（検出エリアと検出識別情報）を含む。
この例では、アプリ名として、ＴＶプレーヤー、ＷＥＢブラウザ、動画プレーヤー等が記載されている。測定対象として、放送局、ＵＲＬ、コンテンツ名、接触文字、人物が記載されている。起動アプリ識別の検出文字・画像として、テレビ視聴、ＷＥＢ、動画ビューワが記載されている。また、測定対象識別の検出識別情報として、変換コードテーブルの識別情報、検出文字・画像すべてを示す識別情報（又は、予め定められた数・量の検出文字・画像を示す識別情報）が記載されている。
【００２２】
図６に、変換コードテーブルの説明図を示す。
図６（Ａ）に、ＴＶプレーヤー(放送局)変換コードテーブルを示す。
ＴＶプレーヤー（放送局）変換コードテーブル１１１は、検出文字・画像に対して、放送局コードを予め記憶する。
図６（Ｂ）に、ＷＥＢブラウザ（接触文字）変換コードテーブルを示す。
ＷＥＢブラウザ（接触文字）変換コードテーブル１１２は、検出文字・画像に対して、接触文字コードを予め記憶する。
図６（Ｃ）に、ＷＥＢブラウザ（人物）変換コードテーブルを示す。
ＷＥＢブラウザ（人物）変換コードテーブル１１３は、検出画像に対して、人物コードを予め記憶する。
【００２３】
なお、変換コードテーブルは、アプリ名毎に識別されてもよいし、アプリ名及び測定対象の組み合わせ毎など、適宜の識別情報により識別・特定されてもよい。また、検出画像としては、放送局、商品、メーカー等を示すロゴを用いてもよい。
【００２４】
図７に、コンテンツ接触データ接触データの説明図を示す。
コンテンツ接触データ１２１は、接触データ蓄積部１０４に記憶される。コンテンツ接触データ１２１は、日時に対して、起動アプリケーションのアプリ名、検出結果を記憶する。
【００２５】
なお、判定テーブル１１０の起動アプリ識別の「検出文字・画像」、及び／又は、各変換コードテーブル１１１〜１１３の「検出文字・画像」は、文字又は画像又は文字と画像の組合せのいずれかを用いることができる。本明細書中「文字・画像」という記載は、文字又は画像又は文字と画像の組合せのいずれかを意味することができる。
また、「日時」として、スクリーンショットの取得時刻又は内部時計による時刻等の適宜の日時を用いることができる。
【００２６】
２．動作
図８に、第１の実施の形態のシーケンス図を示す。
端末１０は、手動操作で、又は、定期的又は予め定められたタイミング等の自動で、スクリーンショットを取得し、適宜のタイミングでスクリーンショットを集計・配信センター２に送信する（８１１）。
集計・配信センター２は、コンテンツ接触状況検出部１００のスクリーンショット取得部１０２によりスクリーンショットを受信して、メモリに記憶する（８１２）。コンテンツ接触状況検出部１００は、取得したスクリーンショットによりコンテンツ接触状況検出処理を実行し、コンテンツ接触データを作成して、接触データ蓄積部１０４に記憶する（８１３）。コンテンツ接触状況検出部１００は、手動操作で、又は、定期的又は予め定められたタイミング等の自動で、又は、契約者／顧客装置３からの要求により、接触データ蓄積部１０４からコンテンツ接触データを読み出して、契約者／顧客装置３に送信する（８１４）。
【００２７】
図９に、コンテンツ接触状況検出処理のフローチャートを示す。
処理が開始されると、制御部１０１は、判定テーブル１１０の全行数（ｊ行）を取得し（Ｓ１０１）、検索行位置を１に初期化する（ｉ＝１）（Ｓ１０３）。
つぎに、制御部１０１は、スクリーンショット取得する（Ｓ１０５）。制御部１０１は、判定テーブル１１０を参照し、ｉ行目のレコードの起動アプリ識別の検出エリアでスクリーンショットの文字・画像を認識する（Ｓ１０７）。制御部１０１は、認識した文字・画像がｉ行目のレコードの起動アプリ識別の検出文字・画像と一致するか判定する（Ｓ１０９）。
ステップＳ１０９で、一致しない場合、制御部１０１は、ｉをカウントアップ（ｉ＝ｉ＋１）し（Ｓ１１１）、すべての行を検索したか（ｉ＞ｊ）判定する（Ｓ１１３）。制御部１０１は、判定テーブル１１０のすべての行を検索してなければステップＳ１０７に移行し、判定テーブル１１０のすべての行を検索したら予め定められた一定時間待ち、ステップＳ１０３に移行する（Ｓ１１５）。
【００２８】
一方、ステップＳ１０９で、認識した文字・画像がｉ行目のレコードの検出文字・画像と一致する場合、制御部１０１は、ｉ行目のレコードの測定対象識別の検出文字・画像が「変換コードテーブルの識別情報」か否かを判定する（Ｓ１２１）。「変換コードテーブルの識別情報」でないと判定した場合（又は、すべての検出文字（又は予め定められた数・量の検出文字・画像）を示す識別情報である場合等）、制御部１０１は、測定対象識別の検出エリアでスクリーンショットのすべての検出文字（又は予め定められた数・量の検出文字・画像）を認識又は検出文字・画像を抽出しステップＳ１３１に移行する（Ｓ１２３）。一方、ステップＳ１２１で、「変換コードテーブルの識別情報」であると判定した場合、制御部１０１は、ｉ行目のレコードの測定対象識別の検出エリアでスクリーンショットの文字・画像を認識する（Ｓ１２５）。制御部１０１は、ｉ行目のレコードのアプリの変換コードテーブルの識別情報により変換コードテーブルを選択し、認識した文字・画像が、選択した変換コードテーブルで一致する検出文字・画像があるか判定する（Ｓ１２７）。一致する検出文字・画像がある場合、制御部１０１は、変換コードテーブルにより検出文字・画像をコード（放送局コード、接触文字コード、人物コード等）に変換する（Ｓ１２９）。
ステップＳ１２９又はＳ１２３の後、制御部１０１は、コード又は検出文字・画像に、起動アプリ、タイムスタンプを付加してコンテンツ接触データを作成して、メモリ保存する（Ｓ１３１）。
【００２９】
次に、判定テーブル１００に記憶された各アプリ名についての動作を説明する。
まず、ＴＶプレーヤーの処理（変換コードテーブル）を説明する。
図５に示すように、判定テーブル１１０は、アプリ名として放送を視聴するテレビプレーヤー、測定対象として放送局を表す文字、起動アプリ識別情報の検出文字又は画像としてテレビ視聴を表す文字、検出識別情報として変換コードテーブルの識別情報、を含む。制御部１０１は、検出識別情報により特定される変換コードテーブル１１１を参照し、検出文字又は画像を放送局コードに変換する（Ｓ１２１、Ｓ１２５〜Ｓ１２９）。制御部１０１は、日時と、起動アプリとしてテレビプレーヤーと、検出結果として放送局コードと、を含むコンテンツ接触データを接触データ蓄積部１２１に保存する（Ｓ１３１）。
【００３０】
つぎに、ＷＥＢブラウザの処理（変換コードテーブル）を説明する。
図５に示すように、判定テーブル１１０は、アプリケーション名と測定対象の組として、ＷＥＢブラウザと接触文字の組又はＷＥＢブラウザと人物の組、起動アプリ識別情報の検出文字又は画像としてＷＥＢを表す文字又は画像、検出識別情報として変換コードテーブル１１２又は１１３の識別情報、をそれぞれを含む。制御部１０１は、検出識別情報により特定される変換コードテーブル１１２又は１１３を参照し、検出文字又は画像を接触文字コード又は人物コードに変換する（Ｓ１２１、Ｓ１２５〜Ｓ１２９）。制御部１０１は、日時と、起動アプリとしてＷＥＢブラウザと、検出結果として接触文字コード又は人物コードと、を含むコンテンツ接触データを接触データ蓄積部１２１に保存する（Ｓ１３１）。
【００３１】
つぎに、ＷＥＢブラウザ／動画プレーヤーの処理（検出文字）を説明する。
図５に示すように、判定テーブル１１０は、アプリケーション名と測定対象の組として、ＷＥＢブラウザとＵＲＬ又は動画プレーヤーとコンテンツ名、起動アプリ識別情報の検出文字・画像としてＷＥＢを表す文字・画像又は動画ビューワを表す文字・画像、検出識別情報として全ての文字・画像又は予め定められた数・量の文字・画像を示す識別情報、をそれぞれを含む。制御部１０１は、日時と、起動アプリとしてＷＥＢブラウザ又は動画プレーヤーと、検出結果として第２検出エリアで認識又は抽出した全ての文字・画像又は予め定められた数・量の文字・画像と、を含むコンテンツ接触データを接触データ蓄積部１２１に保存する（Ｓ１２１、Ｓ１２３、Ｓ１３１）。
【００３２】
Ｂ．第２の実施の形態
第２の実施の形態は、端末１０’側で、コンテンツ接触状況検出処理を実行するものである。
図１０に、本発明の第２の実施の形態によるシステム構成図の例を示す。
本実施の形態では、端末１０’が、コンテンツ接触状況検出部１００を備える。各部の構成、及び、コンテンツ接触状況検出処理の動作は、以下に示すようにシーケンスが異なる他は、第１の実施の形態と同様である。
端末１０’は、判定テーブル１１０又は変換コードテーブル１１１，１１２，１１３のいずれか又は一部若しくは全部を、集計・配信センター２’又は他のサーバから予めダウンロ−ドすることができる。
【００３３】
図１１に、第２の実施の形態のシーケンス図を示す。
端末１０’は、ユーザアクションによる手動操作で、又は、定期的又は予め定められたタイミング等の自動で、スクリーンショットを取得する（８２１）。コンテンツ接触状況検出部１００は、取得したスクリーンショットをスクリーンショット取得部１０２のメモリ又は他の適宜のメモリに記憶し、取得したスクリーンショットによりコンテンツ接触状況検出処理（第１の実施の形態、図９）を実行し、コンテンツ接触データを作成して、接触データ蓄積部１０４に記憶する（８２２）。コンテンツ接触状況検出部１００は、ユーザアクションによる手動操作で、又は、定期的又は予め定められたタイミング等の自動で、又は、集計・配信センター２’からの要求により、接触データ蓄積部１０４からコンテンツ接触データを読み出して、集計・配信センター２’に送信する（８２３）。
集計・配信センター２’において、処理部２１は、端末１０’のコンテンツ接触状況検出部１００が作成及び蓄積したコンテンツ接触データを接触データ蓄積部１０４から読み出し、コンテンツ接触データを集計し、接触率データ又は他の接触情報を計算し、蓄積部２２に、コンテンツ接触データ、接触率データ及び／又は他の接触情報を保存する。また、処理部２１は、コンテンツ接触データ、接触率データ及び／又は他の接触情報を蓄積部２２から読み出し、契約者／顧客装置３に対して提供する（８２４）。
【００３４】
Ｃ．第３の実施の形態
第３の実施の形態は、端末１０’’側で、コンテンツ接触状況検出処理を実行するものであり、且つ、特に顔ＤＢ・人物ＤＢ、ＷＥＢブラウザ（人物）変換コードテーブル１１３等の容量の大きい識別用ＤＢや使用頻度の低い識別用ＤＢなど、適宜の識別用ＤＢを、必要に応じて、集計・配信センター２’’又はサーバや他の装置から端末１０’’にダウンロ−ドするようにしたものである。
【００３５】
図１２に、本発明の第３の実施の形態によるシステム構成図の例を示す。
本実施の形態では、端末１０’’が、コンテンツ接触状況検出部１００を備える。集計・配信センター２’’は、判定テーブル１１０又は変換コードテーブル１１１，１１２，１１３のいずれか又は一部若しくは全部を記憶した識別用ＤＢ１０３’を備える。ここでは、一例として、ＷＥＢブラウザ（人物）変換コードテーブル１１３を備える場合について説明する。また、その他の各部の構成、及び、コンテンツ接触状況検出処理の動作は、以下に示すようにシーケンスが異なる他は、第１及び／又は第２の実施の形態と同様である。
端末１０’’のコンテンツ接触状況検出部１００の制御部１０１は、判定テーブル１１０又は変換コードテーブル１１１，１１２，１１３のいずれか又は一部若しくは全部（例、ＷＥＢブラウザ（人物）変換コードテーブル１１３）を、集計・配信センター２’’又は他のサーバのサーバに要求して、ダウンロ−ドすることができる。ダウンロードするタイミングは、アプリ起動時、起動以降の予め定められたタイミング、コンテンツ接触状況検出処理の実行中、測定対象識別等に伴って変換コードテーブルが必要となった時など、適宜のタイミングとすることができる。なお、ダウンロードした変換コードテーブルは、コード変換処理後の予め定められたタイミングで、適宜削除してもよい。
【００３６】
図１３に、第３の実施の形態のシーケンスを示す。
なお、ステップ８２１、８２３、８２４は、第２の実施の形態（図１１）と同様なので、説明を省略する。
ステップ８２２’のコンテンツ接触状況検出処理（図９）において、端末１０’’の制御部１０１は、例えば、コンテンツ接触状況検出処理（第１の実施の形態、図９参照）のステップＳ１２５等で、「変換コードテーブルの識別情報」に従い、識別用ＤＢ１０３を検索し、該当する変換コードテーブルが記憶されていないと判定すると、集計・配信センター２’’にその識別情報で特定される変換コードテーブル（例、ＷＥＢブラウザ（人物）変換コードテーブル１１３）を取得するためのＤＢ要求を送る（８３１）。このＤＢ要求は、例えば、自端末の識別情報、変換コードテーブルの識別情報を含む。集計・配信センター２’’は、そのＤＢ要求に応答して、要求された変換コードテーブルの情報（例、ＷＥＢブラウザ（人物）変換コードテーブル１１３）を選択して返送する。制御部１０１は、受信した変換コードテーブルの情報を識別用ＤＢ１０３（例、ＷＥＢブラウザ（人物）変換コードテーブル１１３）に記憶し、それを参照することで、ステップＳ１２７における検出文字・画像の一致判定及びステップＳ１２９におけるコード変換を含む処理を実行する。
【００３７】
なお、端末１０’の制御部１０１は、変換コードテーブルの識別情報と、測定対象識別の検出エリアでの検出文字・画像とを含むＤＢ要求を集計・配信センター２に送り、集計・配信センター２が該当する変換コードテーブルによりその検出文字・画像に対応するコードを検索し、検索されたコードを返送するようにしてもよい。そして、端末１０’の制御部１０１は、返送されたコードを用いて、ステップＳ１３１のコンテンツ接触データの作成及び保存を実行することができる。
【００３８】
Ｄ．実施の形態の効果
以上のように、本実施の形態によれば、映像出力端子を用いずに、端末のソフトウェアによるスクリーンショット画像から、文字認識及び／又は画像認識を行い、視聴放送局やＷＥＢ接触データ、コンテンツ接触データ等のコンテンツ接触状況に関する情報を取得することができる。
【産業上の利用可能性】
【００３９】
本発明のコンテンツ接触状況検出方法及びコンテンツ接触状況検出システムは、その各手順をコンピュータに実行させるためのコンテンツ接触状況検出プログラム、コンテンツ接触状況検出プログラムを記録したコンピュータ読み取り可能な記録媒体、コンテンツ接触状況検出プログラムを含みコンピュータの内部メモリにロード可能なプログラム製品、そのプログラムを含むサーバ等のコンピュータ、等により提供されることができる。
【符号の説明】
【００４０】
１  調査世帯
１０  端末
２  集計・配信センター
３  契約社／顧客装置
４  ネットワーク
１００  コンテンツ接触状況検出部（装置）
１０１  制御部
１０２  スクリーンショット取得部
１０３  識別用ＤＢ
１０４  接触データ蓄積部
１０５  通信部／出力部
１０６  バス
【図１】
0006467151.tif 000002
【図２】
0006467151.tif 000003
【図３】
0006467151.tif 000004
【図４】
0006467151.tif 000005
【図５】
0006467151.tif 000006
【図６】
0006467151.tif 000007
【図７】
0006467151.tif 000008
【図８】
0006467151.tif 000009
【図９】
0006467151.tif 000010
【図１０】
0006467151.tif 000011
【図１１】
0006467151.tif 000012
【図１２】
0006467151.tif 000013
【図１３】
0006467151.tif 000014